(57)【要約】【課題】たとえ比較的軽量で強度的に弱い金属製の平板により保持部材を構成する場合であっても、特に強固な補強材を必要とすることなく、風圧による屋根のバタつきなどを抑制することの可能な屋根の支持構造の提供。【解決手段】複数本の鉄骨２ａ、２ｂを連結具９により連結して構成される梁２と、その鉄骨連結箇所の上方に配置支持される保持部材４と、保持部材４と梁２の上方に配置支持されるタイトフレーム５を備え、タイトフレーム５の上面に載置される折板製の屋根１を支持する屋根の支持構造であって、保持部材４が、その両端部から中央部へ向けて上方へ膨出する形状に構成される。【選択図】図１
2019183467.tif 000002
【特許請求の範囲】
【請求項１】
複数本の鉄骨を連結具により連結して構成される梁と、その鉄骨連結箇所の上方に配置支持される保持部材と、その保持部材と前記梁の上方に配置支持されるタイトフレームを備え、そのタイトフレームの上面に載置される折板製の屋根を支持する屋根の支持構造であって、
前記保持部材が、その両端部から中央部へ向けて上方へ膨出する形状に構成される屋根の支持構造。
【請求項２】
前記鉄骨連結箇所を除く前記梁の上面に載置支持される嵩上げ部材を備え、前記保持部材の両端部が、前記鉄骨連結箇所の両側に位置する前記嵩上げ部材に接続され、前記タイトフレームが、前記嵩上げ部材と保持部材の上面に載置支持される請求項１に記載の屋根の支持構造。
【請求項３】
前記保持部材の両端部が、前記梁の上面に載置接続され、前記タイトフレームが、前記梁と保持部材の上面に載置支持される請求項１に記載の屋根の支持構造。
【請求項４】
前記保持部材が、その両端部から中央部へ向けて上方へ傾斜する一対の傾斜部位と、その一対の傾斜部位の間を繋ぐ中央平坦部位を備え、その中央平坦部位の上面に前記タイトフレームの谷部が載置される請求項１〜３のいずれか１項に記載の屋根の支持構造。
【請求項５】
前記タイトフレームにおいて、前記保持部材の上方に配置される保持部材対応部位が、他の部位と別体に構成される請求項１〜４のいずれか１項に記載の屋根の支持構造。
【請求項６】
前記タイトフレームにおいて、前記保持部材の上方に配置される保持部材対応部位の上下方向高さが、他の部位の上下方向高さより低く設定されて、前記タイトフレームの山部の上面が同じレベルに構成される請求項１〜５のいずれか１項に記載の屋根の支持構造。
【発明の詳細な説明】
【技術分野】
【０００１】
本発明は、複数本の鉄骨を連結具により連結して構成される梁と、その鉄骨連結箇所の上方に配置支持される保持部材と、その保持部材と前記梁の上方に配置支持されるタイトフレームを備え、そのタイトフレームの上面に載置される折板製の屋根を支持する屋根の支持構造に関する。
【背景技術】
【０００２】
このような屋根の支持構造では、複数本の鉄骨をボルト・ナットなどの連結具により連結して梁を構成するため、その鉄骨連結箇所においては、ボルトの頭またはナットなどが梁の上面から上方へ突出し、タイトフレームを梁の上面に直接載置して支持することが困難となる。そこで、従来では、鉄骨連結箇所を除く梁の上面に型鋼製の嵩上げ部材などを接続し、金属製の平板からなる保持部材を鉄骨連結箇所の両側に位置する嵩上げ部材の間に亘って配置接続して、タイトフレームを嵩上げ部材と保持部材の上面に載置して支持するのが一般的であった（例えば、特許文献１の図７参照）。
【０００３】
しかし、嵩上げ部材間に亘って配置接続される保持部材は、通常、軽量ではあるが比較的強度的に弱い金属製の平板などが使用されるため、例えば、屋根に風圧が作用すると、保持部材が上下方向へ繰り返し湾曲移動し、いわゆるバタつきを生じ、折板製の屋根全体が風圧によってバタつきを生じることになる。
そこで、従来、平板からなる保持部材を強固な補強部材で補強するか、あるいは、平板製の保持部材に代えて、例えば、断面「コ」の字状の型鋼を背中合わせに接合して構成される強固な部材などを使用し、その強固な部材を鉄骨連結箇所の両側に位置する嵩上げ部材の間に亘って配置して対処していたのが実情である（例えば、特許文献１の図１〜図６参照）。
【先行技術文献】
【特許文献】
【０００４】
【特許文献１】特開２００５−１４６７１０号公報
【発明の概要】
【発明が解決しようとする課題】
【０００５】
しかしながら、平板により保持部材を構成する場合には、平板製の保持部材を強固な補強材で補強する必要があり、また、上記特許文献に記載のように、平板製の保持部材に代えて強固な部材を使用する場合には、保持部材そのものを強固な構造にする必要があるなど、いずれにせよ、比較的重くて大掛かりな構造となる欠点があった。
【０００６】
本発明は、このような従来の問題点に着目したもので、その目的は、たとえ比較的軽量で強度的に弱い金属製の平板により保持部材を構成する場合であっても、特に強固な補強材を必要とすることなく、風圧による屋根のバタつきなどを抑制することの可能な屋根の支持構造を提供することにある。
【課題を解決するための手段】
【０００７】
本発明の第１特徴構成は、複数本の鉄骨を連結具により連結して構成される梁と、その鉄骨連結箇所の上方に配置支持される保持部材と、その保持部材と前記梁の上方に配置支持されるタイトフレームを備え、そのタイトフレームの上面に載置される折板製の屋根を支持する屋根の支持構造であって、前記保持部材が、その両端部から中央部へ向けて上方へ膨出する形状に構成される点にある。
【０００８】
本構成によれば、梁の鉄骨連結箇所の上方に配置支持される保持部材が、その両端部から中央部へ向けて上方へ膨出する形状に構成されるので、つまり、保持部材を予め積極的にたわませておくので、屋根に風圧が作用した際、その風圧作用の初期段階から、保持部材には、風圧に対抗し得るだけの張力が生じることになる。
したがって、たとえ金属製の平板により保持部材を構成する場合であっても、強固な補強材などで補強する必要もなく、保持部材を上方へ膨出させるだけの簡単かつ軽量な構成で、予想される風圧に初期段階から十分に対抗して、例えば、風圧による保持部材や折板製の屋根のバタつきなどを抑制することができる。
【０００９】
本発明の第２特徴構成は、前記鉄骨連結箇所を除く前記梁の上面に載置支持される嵩上げ部材を備え、前記保持部材の両端部が、前記鉄骨連結箇所の両側に位置する前記嵩上げ部材に接続され、前記タイトフレームが、前記嵩上げ部材と保持部材の上面に載置支持される点にある。
【００１０】
本構成によれば、鉄骨連結箇所を除く梁の上面に載置支持される嵩上げ部材を備え、保持部材の両端部が、鉄骨連結箇所の両側に位置する嵩上げ部材に接続されるので、保持部材は、嵩上げされた分だけ上方に位置し、鉄骨を連結する連結具と干渉することなくその上方を跨ぐことが容易となる。
したがって、保持部材に関しては、主として上方へ膨出する形状のみを考慮して小型かつ軽量化することができ、タイトフレームは、その嵩上げ部材と保持部材の上面に載置支持される。
【００１１】
本発明の第３特徴構成は、前記保持部材の両端部が、前記梁の上面に載置接続され、前記タイトフレームが、前記梁と保持部材の上面に載置支持される点にある。
【００１２】
本構成によれば、保持部材の両端部が、梁の上面に載置接続され、タイトフレームが、梁と保持部材の上面に載置支持されるので、上方へ膨出する保持部材の形状を有効に利用して連結具との干渉を回避しながら、上述した嵩上げ部材を使用することなく、タイトフレームを梁と保持部材に直接支持させることができる。その結果、連結具との干渉を回避しながらタイトフレームを所望どおりに支持できるのに加えて、部品点数の削減による施工費の低廉化と更なる軽量化が可能となる。
【００１３】
本発明の第４特徴構成は、前記保持部材が、その両端部から中央部へ向けて上方へ傾斜する一対の傾斜部位と、その一対の傾斜部位の間を繋ぐ中央平坦部位を備え、その中央平坦部位の上面に前記タイトフレームの谷部が載置される点にある。
【００１４】
本構成によれば、保持部材が、一対の傾斜部位とその間を繋ぐ中央平坦部位を備えているので、保持部材に対して所望どおりの張力作用を期待できるのに加え、その保持部材の中央平坦部位の上面にタイトフレームの谷部が載置されるので、たとえタイトフレームの谷部が中央平坦部位に対して多少ずれたとしても、中央部位が平坦であるがため、そのずれを吸収することが可能で、その結果、保持部材によりタイトフレームを合理的な形態で確実かつ強固に支持することができる。
【００１５】
本発明の第５特徴構成は、前記タイトフレームにおいて、前記保持部材の上方に配置される保持部材対応部位が、他の部位と別体に構成される点にある。
【００１６】
本構成によれば、保持部材の上方に配置されるタイトフレームの保持部材対応部位が、他の部位と別体に構成されるので、例えば、保持部材対応部位以外の他の部位を市販のタイトフレームをそのまま使用して構成することができるとともに、保持部材対応部位のみを予め作製しておくことも、また、その保持部材対応部位と保持部材とを互いに接続した状態で予め作製しておくことも可能で、それにより施工の容易化と施工時間の短縮化を図ることができる。
【００１７】
本発明の第６特徴構成は、前記タイトフレームにおいて、前記保持部材の上方に配置される保持部材対応部位の上下方向高さが、他の部位の上下方向高さより低く設定されて、前記タイトフレームの山部の上面が同じレベルに構成される点にある。
【００１８】
本構成によれば、タイトフレームの保持部材対応部位の上下方向高さが、他の部位の上下方向高さより低く設定されて、タイトフレームの山部の上面が同じレベルに構成されるので、保持部材が上方へ膨出する形状であるにも拘わらず、タイトフレームの山部の上面を同じレベルにして外観的に美麗な状態で折板製の屋根を支持することができる。
【図面の簡単な説明】
【００１９】
【図１】第１実施形態による屋根の支持構造の斜視図
【図２】第１実施形態による屋根の支持構造の縦断正面図
【図３】第１実施形態による屋根の支持構造の要部の縦断正面図
【図４】第２実施形態による屋根の支持構造の縦断正面図
【図５】別実施形態による屋根の支持構造の要部の縦断正面図
【発明を実施するための形態】
【００２０】
本発明による屋根の支持構造につき、その第１実施形態と第２実施形態を図面に基づいて説明する。
（第１実施形態）
本発明の屋根の支持構造は、図１に示すように、折板製の屋根１を支持するもので、図２にも示すように、複数本の鉄骨２ａ、２ｂからなる梁２と、梁２の上面に載置支持される嵩上げ部材３と、嵩上げ部材３に接続される保持部材４と、嵩上げ部材３と保持部材４の上面に載置支持されて屋根１を支持するタイトフレーム５などを備えている。
梁２は、例えば、Ｈ型鋼からなる複数本の鉄骨２ａ、２ｂが、その端部どうしを互いに突合せ、かつ、突合せ部位において上下のフランジとウェブに亘ってそれぞれ継目板８を添えて連結具としての複数本のボルト・ナット９により連結して構成される。
【００２１】
嵩上げ部材３は、例えば、Ｃ型鋼で構成されてボルト・ナット９による鉄骨２ａ、２ｂの連結箇所（以下「鉄骨連結箇所」と称す）を除く梁２の上面に載置され、梁２に溶接されて支持される。
保持部材４は、例えば、金属製の平板で構成されて鉄骨連結箇所の両側に位置する嵩上げ部材３に溶接されて支持され、保持部材４の形状は、図１および図２に示すように、正面視において、その両端部から中央部へ向けて上方へ膨出する形状に構成される。すなわち、保持部材４は、その両端部から中央部へ向けて斜め上方へ延出する一対の傾斜部位４ａと、一対の傾斜部位４ａの上端部間を繋ぐ中央平坦部位４ｂを備え、更に、一対の傾斜部位４ａの下端部には、嵩上げ部材３への接続部位４ｃがそれぞれ延設され、各接続部位４ｃが、嵩上げ部材３の上面に溶接されて支持される。
【００２２】
折板製の屋根１を支持するタイトフレーム５は、保持部材４の上方に配置される保持部材対応部位７と、保持部材対応部位７以外の他の部位６、言い換えると、嵩上げ部材３の上方に配置される通常の部位（以下「通常の部位」と称す）６からなり、両部位６、７は、図３に示すように、その谷部６ａ、７ａで分離されて互いに別体に構成される。
タイトフレーム５の通常の部位６に関しては、例えば、市販のタイトフレームをそのまま使用することも可能で、その通常の部位６の谷部６ａが、図３に示すように、嵩上げ部材３の上面に載置され、嵩上げ部材３に溶接されて支持される。
タイトフレーム５の保持部材対応部位７は、市販のタイトフレームを加工して作製され、あるいは、金属製の平板により専用に作製される。保持部材対応部位７の両端に位置する谷部７ａは、図３に示すように、保持部材４の接続部位４ｃの上面に載置され、接続部位４ｃに溶接されて支持され、中央の谷部７ａは、保持部材４の中央平坦部位４ｂの上面に載置され、中央平坦部位４ｂに溶接されて支持される。
【００２３】
タイトフレーム５の通常の部位６に関しては、各谷部６ａが全て嵩上げ部材３の上面に載置支持されるので、タイトフレーム５の山部の上面は同じレベルに維持される。
それに対し、タイトフレーム５の保持部材対応部位７に関しては、両端に位置する谷部７ａが保持部材４の接続部位４ｃの上面に載置支持され、中央に位置する谷部７ａが保持部材４の中央平坦部位４ｂの上面に載置支持されるので、予めその分を見越した状態で、保持部材対応部位７の上下方向高さが、通常の部位６の上下方向高さより低く設定され、タイトフレーム５の山部の上面が、保持部材対応部位７から通常の部位６に亘って全て同じレベルになるように構成される。
そのため、保持部材４とタイトフレーム５の保持部材対応部位７に関しては、予め作製しておくのが好ましく、両者を互いに接続した状態で作製しておくのが更に好ましい。
【００２４】
（第２実施形態）
第２実施形態を説明するにあたっては、重複説明を避けるため、第１実施形態で説明した構成については同じ符号を付し、それによって詳しい説明を省略して、主に第１実施形態と異なる構成について説明する。
第２実施形態による屋根の支持構造が第１実施形態と異なる点は、図４に示すように、第１実施形態における嵩上げ部材３がなく、金属製の平板からなる保持部材４が、鉄骨連結箇所の上方を跨ぐように配置されて、保持部材４の両端に延設の接続部位４ｃが、梁２の上面に直接載置され、梁２に溶接されて支持される点である。
【００２５】
第２実施形態の保持部材４は、嵩上げ部材３がない分だけ下方に位置して鉄骨連結箇所に近づくことになり、したがって、ボルト・ナット９との干渉を避けるため、第１実施形態のものと比べて多少大きくなる。すなわち、上下方向高さが高くなり、かつ、長さ（図４において紙面に沿う横方向長さ）が長くなる。
ところで、図４を参照して、タイトフレーム５の保持部材対応部位７における中央の谷部７ａは、必ずしも鉄骨２ａ、２ｂの突合せ箇所の真上にくるとは限らず、左右にずれる可能性がある。図４では谷部７ａが突合せ箇所より左にずれた状態を示しているが、このような場合、保持部材４が大きい分だけ左右のずれを吸収し易いという利点がある。
その他、第２実施形態では、タイトフレーム５における通常の部位６と保持部材対応部位７が、別体ではなくて一連に連続した状態に構成され、タイトフレーム５の山部の上面が全体として同じレベルになるように、保持部材対応部位７の高さが通常の部位６より低く構成される。
【００２６】
〔別実施形態〕
（１）第１と第２実施形態では、保持部材４が一対の傾斜部位４ａと中央平坦部位４ｂを備えて上方へ膨出する形状を示したが、保持部材４の形状に関し特に制限はない。例えば、山型やアーチ型など、傾斜部位や湾曲部位を備えて風圧作用の初期段階から所望の張力が生じるように、その両端部から中央部へ向けて上方へ膨出する形状であればいかなる形状であってもよい。
第１実施形態では、タイトフレーム５における通常の部位６と保持部材対応部位７が、その谷部６ａ、７ａで分離され、通常の部位６の谷部６ａが、嵩上げ部材３の上面に載置支持され、保持部材対応部位７の谷部７ａが、保持部材４の接続部位４ｃの上面に載置支持された構成を示したが、図５に示すように、通常の部位６の谷部６ａと保持部材対応部位７の谷部７ａが、共に保持部材４の接続部位４ｃの上面に載置支持されるように構成することもできる。
【００２７】
（２）第１実施形態では、タイトフレーム５における通常の部位６と保持部材対応部位７が、互いに別体に構成された例を示したが、この第１実施形態において、通常の部位６と保持部材対応部位７が、一連に連続した状態に構成することもできる。
逆に、第２実施形態では、通常の部位６と保持部材対応部位７が、一連に連続した状態に構成された例を示したが、この第２実施形態において、通常の部位６と保持部材対応部位７が、互いに別体になるように構成することもできる。
【符号の説明】
【００２８】
１          屋根
２          梁
２ａ、２ｂ  鉄骨
３          嵩上げ部材
４          保持部材
４ａ        保持部材の傾斜部位
４ｂ        保持部材の中央平坦部位
５          タイトフレーム
６          タイトフレームの他の部位
７          タイトフレームの保持部材対応部位
７ａ        保持部材対応部位の谷部
９          連結具
【図１】
2019183467.tif 000003
【図２】
2019183467.tif 000004
【図３】
2019183467.tif 000005
【図４】
2019183467.tif 000006
【図５】
2019183467.tif 000007